Podtech/llm-jp-corpus-v4-ja_patent huggingface dataset:
(57)【要約】【課題】ペットのトイレ用シートを改良して利便性を高める。【解決手段】液体吸収シート裏面に両面粘着性テープを設け、まず、壁へ行う排泄行為を防ぐ。又風やペットのいたずらなどで不用意にシートが動かないようにする。さらに、一定の間隔で切断用のミシン目を入れたシートをロール状にすることで、必要な量を切り出し利用することが可能になり、コストパフォーマンス高める。さらにカラーや柄を設けインテリアと調和するおしゃれなシートにする。【選択図】図１
0003106344.tif 000002
【実用新案登録請求の範囲】
【請求項１】
シート裏面に粘着性のテープを設け、これを用いることで床面及び壁面への固定を容易にし、さらにシートをカットせずロール状にし、一定の間隔でミシン目を入れることで、自由なサイズに切断し利用可能であること及びカラーや柄などを設けインテリアと調和することを特徴とする液体吸収シート。
【考案の詳細な説明】
【技術分野】
【０００１】
本考案は、主にペットの排泄物吸収シート関するものである。
【背景技術】
【０００２】
この種のシートはシート自体に固定する機能を設けておらず、ユーザーが固定するためには専用の固定用トレイにのせる必要がある。
【０００３】
更にシートはＬサイズ、Ｍサイズ、Ｓサイズなど一定のサイズにすでに切断された状態で販売されており、ユーザーの選択肢が少ない。
【０００４】
既存のものにはカラーや柄などがほとんどなく、白・水色などの単色の物しかなく、部屋などに設置した際に見栄えが悪い。
【０００５】
そこで、この考案の課題はこの種のシートを改良して、利便性を高めることにある。
【考案の開示】
【課題を解決するための手段】
【０００６】
本考案は、高吸収性のシートの裏面に固定用の両面テープを設け、一定の間隔で切断用のミシン目を入れたロール状し、シート表面にはカラーや柄を設けることを最も主要な特徴とする。
【考案の効果】
【０００７】
以上のように構成されたシートは、ユーザーが自由にサイズを調整可能となり、固定用トレイなどを用いることなく、自由な場所に固定することができるようになることで手間を軽減することができる。
【実施例】
【０００８】
以下の実施例について図面を参照して説明する。
図１にあるようにシートの裏面両端に両面テープを設けてあり、一定の間隔でミシン目をもうけロール上に梱包してある。
【０００９】
前記のシートをユーザーが希望するサイズに切断し、裏面に用意された両面テープの粘着を保護する紙をはがし、床に設置することで、風やペットのいたずら等でシートが移動することがなくなる。
【００１０】
また、前記の床だけでなく図２にあるように、犬が習性的に排せつを行う、壁面や柱といった垂直な壁面などにシートを張ることが可能になり、汚損を防ぐことが可能になる。
【００１１】
更にカラーや柄を設けることで、設置に際し部屋の美観を損ねることがなくなる。
【００１２】
以上のように、この考案されたシートは、部屋の美観を損ねることなくユーザーの手間を大幅に軽減することでき、さらに必要なサイズに合わせて切断することで無駄な部分がなく、コストパフォーマンスが向上する。
【産業上の利用可能性】
【００１３】
この考案は製造時に切断及びシートを折り畳み梱包するという工程を省略することが可能になり、製造コストを下げることができる。
【図面の簡単な説明】
【００１４】
【図１】この考案に係る一実施例を示す説明図。（実施例１）
【図２】壁面への設置方法を示した断面図である。（実施例２）
【符号の説明】
【００１５】
１    両面粘着性テープ
２    高吸収性シート
３    切断用ミシン目
４    設置部壁面
５    設置部床面
【図１】
0003106344.tif 000003
【図２】
0003106344.tif 000004
(57)【要約】      （修正有）【課題】ビンの蓋からペットボトルの蓋までのあらゆる大きさの蓋に適応し、且つ容易に、しかも軽い操作で開けることのできるボトルオプナーを提供する。【解決手段】回転用レバー２に装着したベルト状のゴム板１をビンの蓋に巻きつけ、その先端を回転用レバー２の上部に設けた固定用レバー３でゴムベルト１を固定した後、回転用レバー２と固定用レバー３を握り一体とした上で装置全体を回転させてビンの蓋を開封させる。さらにペットボトルの蓋のように径の小さいものは補助リング７を用いて開封できる。【選択図】図２
0003106349.tif 000002
【実用新案登録請求の範囲】
【請求項１】
プラスチック製の回転レバー（２）に装着したベルト状のゴム板（１）をビンの蓋に巻きつけ、その先端を回転用レバー（２）の上部に設けた固定用レバー（３）でゴムベルト（１）を固定した後、回転用レバー（２）と固定用レバー（３）を握り一体とした上で装置全体を回転させてビンの蓋を開封させるボトルオプナー。
【請求項２】
ペットボトルの蓋のように径の小さいものに対しては、スリット（８）を設けた補助リング（７）をゴムベルト（１）の内側に装着し、ボトルオプナーの蓋を開封させる、請求項１に記載したボトルオプナー。
【考案の詳細な説明】
【技術分野】
【０００１】  本考案は、固く閉まって開封が困難なビン及びペットボトルの蓋を開けるための装置で如何なる径の蓋にも適用できる蓋開け装置に関するものである。
【背景技術】
【０００２】  従来のものは、レバーの先端に棒状の伸縮可能な掴み装置で蓋を開けるものが考案されているが蓋の掴み部分が狭く固縛力が弱く開封に十分な力が伝達し辛いもの、又は、レバーにベルト状のテープに凹凸部を設けたものを蓋に巻きつけて開ける装置等が考案されているが滑り易く固縛力が不十分で確実性に欠け、何れも実用に供されていない。【０００３】  従来のビンの蓋開け装置は、ビンの蓋のみを対象としており、特に握力を必要とするペットボトルのような径の小さいものにまで使用できるように考案されたものはない。
【考案の開示】
【考案の解決しようとする課題】
【０００４】  解決しようとする問題点は、手の握力の弱い高齢者や女性に対し、ビンの蓋やペットボトルの蓋が固く開けることが困難な場合に使用できる補助装置。
【課題を解決するための手段】
【０００５】  ゴムベルトとプラスチック製のレバーを組み合わせて、ビンの蓋やペットボトルの蓋に装着し、回転モーメントを与えて蓋を開ける装置。
【考案の効果】
【０００６】  固く締まったビンの蓋やペットボトルの蓋に対して、本装置を用いることにより手の握力の弱い高齢者や女性でも容易に開けることができ、且つ、ゴムベルトを使用しているので如何なる径のビンの蓋に適用でき、又、補助リングを併用してペットボトルの蓋のような小口径の蓋にも適用できる利点がある。
【考案を実施するための最良の形態】
【０００７】  ゴムベルトとレバーを組み合わせレバーを２個使用して、ゴムベルトによる蓋の固縛を着実にするとともに、梃子の応用でゴムベルトの端部の保持を確実にする構造にした。
【実施例】
【０００８】  回転用レバー（２）にゴムベルト固定用ビス（６）で装着したベルト状のゴム板（１）をビンの蓋に巻きつけ、その先端を回転用レバー（２）の上部に設けた固定用レバー（３）の間に挿入し、回転用レバー（２）と固定用レバー（３）を握って固定し、一体とした上で装置全体を回転させてビンの蓋を開封させる。【０００９】  固定用レバー（３）は、連結リンク（４）リンク止めピン（５）で回転用レバー（２）と連結し、約９０度回転できるような構造とし、更に先端の円弧部分はリンク止めピン（５）の中心に対して偏心させて、上方に９０度回転させた時に、回転用レバー（２）との間の隙間を広げて、ゴムベルト（１）が挿入し易いように考案してある。【００１０】  ペットボトルの蓋のように口径の小さいものは補助リング（７）を用いて開封できる。補助リング（７）はゴム製とし、内径はペットボトルの蓋の径に合わせ、外径は汎用性のあるビンの蓋に合わせる、内径と外径の間にスリット（８）を設け、補助リング（７）をペットボトルの蓋に嵌入し易く工夫してある。
【産業上の利用可能性】
【００１１】  高齢者社会及び核家族化に伴い老人の一人暮らしが激増している現在の社会生活に貢献できる装置であり、その利便性を広く社会に周知させれば需要の拡大が見込まれ大量生産も可能であり、その結果としてビン及びペットボトル詰の飲食料品の消費量の増加も考えられる。
【図面の簡単な説明】
【００１２】
【図１】ボトルオプナーでビンの蓋を開封しようとする場合の説明図である。
【図２】ボトルオプナーでペットボトルの蓋を開封しようとする場合の説明図である。
【図３】ボトルオプナーを分解した場合の詳細説明図である。
【符号の説明】
【００１３】１  ゴムベルト
２  回転用レバー
３  固定用レバー
４  連結リンク
５  リンク止めピン
６  ゴムベルト固定用ビス
７  補助リング
８  補助リングの隙間
９  固定用レバーの偏心部
【図１】
0003106349.tif 000003
【図２】
0003106349.tif 000004
【図３】
0003106349.tif 000005
(57)【要約】【課題】本考案は、従来の収納ラックを改良するものであり、騒音を低減し同時に放熱性能も向上した収納ラックを提供するものである。【解決手段】本考案は、情報機器等を収納するラックにおいて、消音器を兼ねた電動ファンのケースを具備し、高温の空気を優先的に排気するように吸音材を設置し、センサーにより電動ファンの回転停止、ラック内温度を監視し、ラック内機器を保護するようにした収納ラック。【選択図】図２
0003106396.tif 000002
【実用新案登録請求の範囲】
【請求項１】
情報機器等を収納するラックにおいて電動ファンのケースを兼ねた消音器を具備したことを特徴とする収納ラック。
【請求項２】
請求項１において、電動ファンによる放熱効果を確保するために十分な排気口および吸気口を備えたことを特徴とする収納ラック。
【請求項３】
請求項１または２において、高温の空気を効率的に排気できるように電動ファンと消音器を配置したことを特徴とする収納ラック。
【請求項４】
請求項３において、空気の流れを制御するように吸音材を設置したことを特徴とする収納ラック。
【請求項５】
請求項１または２において電動ファンの停止センサー、温度センサー等を備え、収納機器を保護するようにした収納ラック。
【考案の詳細な説明】
【考案の詳細な説明】
【技術分野】
【０００１】本考案は情報機器等を収納するためのラックに関する。特に収納機器からの騒音低減と同時に放熱性能の優れた収納ラックに関する。
【背景技術】
【０００２】情報化社会の進展につれ、情報機器の高性能・高密度化が進んでいる。そのため発熱量も増大し、放熱のための冷却ファンの騒音も増大している。従来の情報機器等の収納ラックは放熱量を増大するだけで、騒音低減についての考慮が不十分であった。
【考案の開示】
【考案が解決しようとする課題】
【００３】本考案は、従来の収納ラックを改良するものであり、騒音を低減し同時に放熱性能も向上した収納ラックを提供するものである。
【課題を解決するための手段】
【０００４】本考案は情報機器等を収納するラックにおいて消音器を兼ねた電動ファンのケースを具備した収納ラック。【０００５】さらに、電動ファンによる放熱効果を確保するために十分な排気口および吸気口を備えた収納ラック。【０００６】情報機器等を収納するラックにおいて、高温の空気を効率的に排気できるように電動ファンと消音器を配置した収納ラック。【０００７】情報機器等を収納するラックにおいて、吸音と同時に放熱効果を確保する空気の流れを制御するように吸音材を設置した収納ラック。【０００８】情報機器等を収納するラックにおいて電動ファンの停止センサー、温度センサー等を備えた収納ラック。
【考案の効果】
【０００９】本考案によれば収納機器からの騒音を低減し、同時に放熱効果を改善した収納ラックを得ることが出来る。
【考案を実施するための最良の形態】
【００１０】本考案の情報機器等収納ラックの実施形態を説明する。【００１１】情報機器等収納ラックの内面には吸音材６を貼り付け、換気用電動ファン４はラック天井部または背面板上部にファンのケースと吸音材により形成された消音器３に収められた状態で設置される。【００１２】消音器出口は電動ファン４の排気が直接外部に出ない構造とし、ファンの性能を十分に発揮できる流路面積を有する消音器を経由する。【００１３】換気のための吸気口５は吸気音が正面に出ないようにベース２の左右および後部さらに背面板７の下部に設けられている。【００１４】換気の吸気は多くの場合、例えばフリーアクセスフロアの下から十分に行なわれる。その場合は上記吸気口は不要となる。【００１５】ラックに収納される情報機器等の多くは、前面から吸気し背面から排気する構造を採っている。本考案ではラックの中を機器と吸音材６により前面と背面を分離するように設置し、高温の空気を優先的に排気する構造としている。【００１６】本考案では電動ファン４が停止し、ラック内の温度が異常に高温になった場合に停止センサー８、温度センサー９等によりランプ、ブザーまたは信号にてパソコンに警報を知らせるようにしている。
【図面の簡単な説明】
【図１】実施例の扉を閉じた状態を示した正面図である。
【図２】実施例の前面扉を取り除いた状態を示した正面図である。
【図３】実施例の背面板の一例を示した背面図である。
【図４】電動ファンのケースを兼ねた消音器の断面を示した図である。
【符号の説明】
１    前扉
２    ベース
３    消音器
４    電動ファン
５    吸気口
６    吸音材
７    背面板
８    停止センサー
９    温度センサー
【図１】
0003106396.tif 000003
【図２】
0003106396.tif 000004
【図３】
0003106396.tif 000005
【図４】
0003106396.tif 000006
(57)【要約】      （修正有）【課題】通気性のないプラスチック製育苗ポットにおいて、側板内側に発達する根に、呼吸のために必要な空気を効果的に供給する。【解決手段】本考案の育苗ポットは、従来の育苗ポットが底板の中心に排水用の穴を一カ所貫設するのに対して、側板２の下端縁にできるだけ接近した場所に複数個の穴３を貫設する構成を有する。このため、根が発達する側板内側により近いところに穴があるので、根の呼吸に必要な空気が供給されやすくなる。【選択図】図１
0003106398.tif 000002
【実用新案登録請求の範囲】
【請求項１】
円板状の底板と、この底板の周縁に下端縁が連接された筒状の側板とを有するプラスチック製の育苗ポットにおいて、前記底板には前記側板の下端縁にできるだけ接近した場所に、円形又は四角形の複数個の穴を貫設したことを特徴とする育苗ポット。
【考案の詳細な説明】
【技術分野】
【０００１】本考案は、植物の苗を栽培するときに使用される育苗ポットに関する。
【背景技術】
【０００２】従来、育苗ポットとして、一部では側板に排水と通気のため複数個の穴をあけたものや、排水のため底板から側板の下端付近まで連続した隙間をあけたものなどがあるが、大部分は底板の中心に排水用の穴が一カ所貫設されたものが使用されている
【考案の開示】
【考案が解決しようとする課題】
【０００３】現在、植物の種から発芽した苗を生育させる育苗ポットは、そのほとんどがプラスチックを材料として作られている。【０００４】プラスチック製の育苗ポットは、比較的安価で扱いやすいが通気性を持たない。【０００５】したがって、プラスチック製の育苗ポットでは、根の呼吸に必要な空気の供給が不足することがあり、通気性のある材料で作った育苗ポットに比べて根の発育が悪い傾向がある。【０００６】現在大量に使用されているプラスチック製育苗ポットの多くは、底板の中心に排水用の穴が一カ所あけられた形をしている。これは、かつて大量に生産・使用された素焼きの植木鉢と同じ形である。【０００７】しかし、この形のプラスチック製育苗ポットは安価ではあるが、根の発達する側板内側への空気供給が不十分となる。【０００８】今までに、排水をはかるため底板から側板の下端付近まで連続した隙間を空け、結果的に側板内側に十分な空気が供給されたポットもあったが、この形式では変形が起こりやすく、育苗で数多く使われる薄くて柔軟なポットや連結育苗ポットには適用しにくい。【０００９】底板に排水用の穴をあけ側板にも複数個の穴をあける方法は、大量に使用される安価な育苗ポットにとって、製作に手間がかかりすぎる。【００１０】本考案は、以上の問題点を解決することを課題にしている。すなわち、ポット側面の内側に発達する根に、できるだけ空気を供給すること・硬質プラスチック製の育苗ポットだけでなく、薄く柔軟なプラスチックで作られた育苗ポットや連結育苗ポットでも上記の生育上の問題点を解決すること・ポットをできるだけ単純な形として安価に育苗ポットを提供することの三点である。
【課題を解決するための手段】
【００１１】本考案の育苗ポットは、円板状の底板と、この底板の周縁に下端縁が連接された筒状の側板とを有するプラスチック製の育苗ポットにおいて、前記底板には前記側板の下端縁にできるだけ接近した場所に、円形又は四角形の複数個の穴を貫設した構成を有する。
【考案の効果】
【００１２】本考案の育苗ポットは、従来の育苗ポットが底板の中心に排水用の穴を一カ所貫設するのに対して、側板の下端縁にできるだけ接近した場所に複数個の穴を貫設することを特徴とする。このため、側板により近いところに穴があるので、根の呼吸に必要な空気が供給されやすくなり、側板の内側に発達する根の健全な生育をはかることができる。【００１４】本考案の育苗ポットは、底板部分にのみ穴がある構成のため変形が少なく、堅いプラスチックポットだけでなく、薄くて柔らかい育苗ポットや連結育苗ポットでも製作可能である。【００１５】本考案の育苗ポットは、底板だけに複数個の穴を貫設するという単純な構成のため、加工が容易で安価に育苗ポットを提供できる。
【考案を実施するための最良の形態】
【００１６】図１において１はプラスチック製育苗ポットの底板である。底板は平面であり円形であるが、四角形でも製作可能である。【００１７】底板１の周縁には、側板２の下端縁が連接される。側板２は、内径及び外径が上から下へ漸減する円錐筒状または四角錐筒状に形成される。【００１８】底板１には側板２の下端縁にできるだけ接近した場所に、円形または四角形の複数個の穴を貫設する。【００１９】図１では、穴３は鉢体の中心軸を中心として９０°ずつずらして四カ所貫設してあるが、育苗ポットの大きさによりこの穴の数は増減する。
【図面の簡単な説明】
【００２０】
【図１】本考案の実施例を示す育苗ポットを斜め下から見た斜視図である。
【図２】同じ育苗ポットの縦断面図である。
【符号の説明】
【００２１】  １  底板
２  側板
３  底板に貫設された穴
【図１】
0003106398.tif 000003
【図２】
0003106398.tif 000004
(57)【要約】【課題】遺体の口、耳、肛門などからの体液の漏出を、簡便かつ確実に防止する処置用具を提供する。【解決手段】高吸水性ポリマーを内部に有するチューブ１と、人体の口、耳、肛門などへ該ポリマーを送り込むことのできる圧縮気体ボンベ２からなる体液漏出防止処置用具において、該チューブ１と該ボンベ２との誤接続を防ぐマーカー３と、口、耳、肛門等の人体の部位に応じた挿入長さを表す印４を該チューブ１に付ける。【選択図】  図１
0003106399.tif 000002
【実用新案登録請求の範囲】
【請求項１】
高吸水性ポリマーを内部に有するチューブ１と、人体の口、耳、肛門などへ該ポリマーを送り込むことのできる圧縮気体ボンベ２からなる体液漏出防止処置用具において、口、耳、肛門等の人体の部位に応じた挿入長さを示す印を該チューブ１に付けることを特徴とする体液漏出防止処置用具。
【請求項２】
該チューブ１には、該ボンベ２との誤接続を防ぐマーカーを付けることを特徴とする請求項１に記載の体液漏出防止処置用具。
【考案の詳細な説明】
【技術分野】
【０００１】  人間が死亡した場合、腹水、血液、胃液、唾液などの体液が遺体の口、耳、肛門などから漏出する場合がある。これを防ぐことが病院や葬儀屋にとって必要である。この考案は、体液漏出防止処置用具に関するものである。
【背景技術】
【０００２】  人間の遺体の口、耳、肛門などに少量の高吸水ポリマーを詰めて体液の漏出を防ぐ方法が公知である。例えば、特開平１０−２９８００１及び特開２００２−３１５７９２がある。【０００３】
【特許文献１】      特開平１０−２９８００１号公報
【特許文献２】      特開２００２−３１５７９２号公報
【考案の開示】
【考案が解決しようとする課題】
【０００４】  しかし、そのような方法で実際に作業を実施すると、例えば鼻と口ではチューブ１の最適の挿入長さが異なり、完全に体液の漏出を防げない場合があった。又チューブ１とボンベ２の接続方向を誤ると適切な量の高吸水ポリマーを人体の内部へ送れない場合があった。【０００５】  そこで、この考案の体液漏出防止処置用具は、そのような従来の用具が有する問題点を解決するために考えられたものである。
【課題を解決するための手段】
【０００６】  この考案の体液漏出防止処置用具は、該チューブ１に、口、耳、肛門等の人体の部位に応じた挿入長さを示す印を付けたことを特徴とする。又該チューブ１には、該ボンベ２との誤接続を防ぐマーカーを付けたことを特徴とする。
【考案の効果】
【０００７】  この考案の用具によれば誰が使用しても確実かつ簡便に遺体からの体液の流失を防ぐことができる。
【考案を実施するための最良の形態】
【０００８】  図１に示すように、高吸水性ポリマーを内部に有するチューブ１と、人体の口、耳、肛門などへ該ポリマーを送り込むことのできる圧縮気体ボンベ２からなる体液漏出防止処置用具において、該チューブ１と該ボンベ２との誤接続を防ぐマーカー３と、口、耳、肛門等の人体の部位に応じた挿入長さを表す印４を該チューブ１に付ける。
【実施例】
【０００９】  本考案の体液漏出防止処置用具は、図１に示すように、チューブ１と圧縮気体ボンベ２からなる。該チューブ１の中には、脱脂綿、スポンジなどの通気性の塊が片端に詰められている。しかる後該端部から真空引きして高吸水性ポリマーの粉末又は顆粒をチューブに詰める。【００１０】  圧縮気体ボンベ２の気体噴出口に、該チューブにおいて脱脂綿、スポンジなどの通気性の塊がある方の端部を接続する。この接続の誤りを防ぐため、ボンベ２の気体噴出口とチューブの該端部に同色のマーカーをつける。ここでは、チューブの両端に被せる防湿用キャップとガス噴出口のマーカーとを同色とした。【００１１】  さらに、そのチューブにおいて、脱脂綿、スポンジなどの通気性の塊が存在する方の反対側端部を人の各部位に挿入した。鼻では約２０ｍｍ、口では約４０ｍｍ挿入すると、それぞれの部位から体液の漏出がまったくなかった。そこで、多数の未使用チューブ表面径方向へサインペンでその位置を示す印を記した。【００１２】  チューブはビニルチューブなどの軟質材料もので、外径は約６ｍｍ、肉厚約１ｍｍ、長さは約１７０ｍｍが適切であった。ボンベはスプレー式で圧力が加わるものを用いた。【００１３】  以上の用具を用いて、実際遺体の鼻へ該チューブをその印（２０ｍｍ）のあるところまで挿入し、圧力を該ボンベから加え、高吸水性ポリマーを鼻に詰めたところ、体液の漏出は認められなかった。【００１４】  従来の方法では、チューブの挿入深さに個人差があり、２７つの遺体に対して５体でわずかに体液の流出が認められた。【００１５】（その他の実施の形態）
本考案の実施例では、サインペンでチューブ表面の径方向へ挿入を止める位置を単に記しただけであるが、その代わりに人体の各部に対応する挿入位置を記したシールを該チューブ上へ貼ってもよい。又チューブの表面にその位置に応じて色分け、着色してもよい。さらに、挿入位置を記した線が印刷されており、かつ人体の部位に応じて色の異なるチューブを用いてもよい。いずれにせよ、人体の部位に応じて挿入位置を示す印がチューブに記されていれば本考案の目的は達せられる。
【産業上の利用可能性】
【００１６】  本考案によれば、誰が使用しても確実かつ簡便に遺体からの体液の流失を防ぐことができ、それによって遺体から周囲の人への病原菌やウイルスの感染を防止することができる。
【図面の簡単な説明】
【００１７】
【図１】この考案の実施の一形態を示した図である。
【符号の説明】
【００１８】        １  チューブ
２  ボンベ
３  マーカー
４  挿入位置を示す印
【図１】
0003106399.tif 000003
(57)【要約】【課題】  本考案は孔部の精度が高く、使用環境及び時間による精度の変化を防いだ自動車用フィルターを可能とする。【解決手段】本考案は自動車におけるガソリン・オイル又は吸気・排気の通る箇所に取り付け可能なケース１の中に、直径を同じくする真球の金属２を整列させ、均一な孔部３が整列した状態において焼結処理を行って一体化した物質を自動車のオイル、ガソリンの流動部や吸気・排気部に用いることで、高精度かつ長期的に異物・ゴミを除去することが出来、車両の走行における重要な箇所の異物・ゴミによる故障・劣化を防ぐことができる。【選択図】  図１
0003106980.tif 000002
【実用新案登録請求の範囲】
【請求項１】
直径の等しい真球の金属同士を密着させ、焼結技術によって強固に固定された高精度かつ均一な多孔体を応用した自動車用フィルター。
【考案の詳細な説明】
【技術分野】
【０００１】    本考案は、真球金属を焼結した物体を応用した自動車用フィルターに関するものである。
【背景技術】
【０００２】  従来は主に格子状に編み上げられた網状の金属のフィルターであった。
【考案の開示】
【考案が解決しようとする課題】
【０００３】  格子状の網型のフィルターでは孔の面積それぞれの精度が低く、又、長期使用に於いて孔部の面積が変化してしまう問題があった。
【課題を解決するための手段】
【０００４】  本考案は、直径の等しい真球の金属同士を密着させ、焼結された物質を自動車用フィルターに採用することで従来の課題を解決しようとするものである。
【考案の効果】
【０００５】  直径の等しい真球の金属同士を密着させると、自然に整列し均一な多孔質体が発生する、更に焼結処理をこの状態に対して行うと均一に融合した強度の高い一体型のフィルターとなる、この特性を自動車用フィルターに応用することで孔部の面積の不均一性、長期使用や使用条件における精度の劣化が解消される。
【考案を実施するための最良の形態】
【０００６】  使用者は本考案によるフィルターを自動車のオイル、ガソリンの流動部や吸気・排気部に使用することで、高精度かつ長期的に異物・ゴミを除去することが出来、車両の走行における重要な箇所の異物・ゴミによる故障・劣化を防ぐことができる。
【実施例】
【０００７】  以下、添付図面に従って一実施例を説明する、１は車両のガソリン・オイル又は吸気・排気の通る箇所に取り付けるためのケース、２は焼結された真球の金属、３は金属同士のすき間に生成された孔部である、孔部は均一な面積となるため、この面積を超える大きさの異物・ゴミは孔部を通ることができず、本フィルターを通過する前の段階で除去される。
【図面の簡単な説明】
【０００８】
【図１】      本考案を示した正面図である。
【符号の説明】
【０００９】  １  車両への取り付け用ケース
２  焼結された真球金属
３  真球金属間に生成された孔
【図１】
0003106980.tif 000003
(57)【要約】【課題】構造が簡単で、ごみが引っかかりにくい雨水取出し装置を得る。【解決手段】縦樋１の途中を切り欠いてはめ込まれる筒体２内に雨水を溜められるよう中底５を設ける。中底は下に向かって徐々にすぼまった形状（すり鉢型）をしており、その中心には円形の穴６があいている。この穴を開閉するために、中底の下側に弁体７を設ける。弁体は球体であり、筒体の上部に渡したピン１０からコイルばね１１で吊ってあり、普段、ばねの力で引張り上げられて穴６を塞いでいる。【選択図】図１
0003106978.tif 000002
【実用新案登録請求の範囲】
【請求項１】
縦樋の途中に取り付けられる筒体と、該筒体内に設けられた、中心部に穴を有する中底と、該中底の下で上下に動いて該穴を開閉する弁体と、該弁体を上方に付勢する弾性部材と、該筒体に溜まった雨水を排出する排出口から成る雨水取出し装置。
【請求項２】
該中底がすり鉢形である請求項１に記載の雨水取出し装置。
【請求項３】
該弾性部材が引張りコイルばねであり、該ばねの上端は該筒体の壁と壁の間に渡したピンに支持されている請求項１または２に記載の雨水取出し装置。
【考案の詳細な説明】
【技術分野】
【０００１】
この考案は、縦樋の中を流れる雨水を外に取り出して、植物への散水等に利用するための装置に関する。
【背景技術】
【０００２】
従来、様々な雨水取出し装置が知られており、代表的なものは、縦樋の中に取水樋を挿入して、縦樋の外部に雨水を取り出すようにしたものである（例えば、特許公開２００２−１６７９２２）。このようなものは構造が簡単であるが、雨水と共に流れ込んでくる木の葉のようなゴミがひっかり易い欠点がある。
【考案の開示】
【考案が解決しようとする課題】
【０００３】
この考案は、構造が簡単で、ごみが引っかかりにくい雨水取出し装置を得ることを課題とする。
【課題を解決するための手段】
【０００４】
この考案の雨水取出し装置は、縦樋の途中に取り付けられる筒体の内部に、中心部に穴を有する中底を設ける。さらに、中底の下で上下に動いて該穴を開閉する弁体と、弁体を上方に付勢する弾性部材と、筒体に溜まった雨水を排出する排出口を設ける（請求項１）。
【０００５】
この装置では、普段は中底の穴が弁体で閉じられているので、雨が降り出すと雨水が筒体内に溜まり、液面が徐々に上昇して排出口のレベルまで達すると、排出口から雨水が流れ出るようになる。雨が強くなって、筒体に流入する雨水の流量が排出口から出て行く流量より多くなると、液面が上昇し、あるレベルまで高くなると、弁体にかかる水圧で弁体を付勢している弾性体が伸び、弁が開いて、上から流れ込んでくる雨水の一部は、穴を通って下の縦樋に流れるようになり、それ以上、液面が上昇することがない。
【０００６】
筒体の中に雨水と共に木の葉などのゴミが流れ込んで来るが、弁が開いたとき、ゴミは穴を通って下に排出される。この装置では、ゴミは真下に向かって排出されるので、途中で引っかかることがない。また、特にこのものでは、中底がすり鉢型をしており（請求項２）、ゴミが中底に引っかかることがなく、スムーズに排出される。
【０００７】
弾性部材は引張りコイルばねで構成し、ばねの上端は筒体の壁と壁の間に渡したピンに支持させるようにすれば（請求項３）、構造がシンプルで、動作も確実である。
【考案を実施するための最良の形態】
【０００８】
この雨水取出し装置は、筒体２の中に組み込まれており、縦樋１の途中を切り欠いて、その後に筒体２をはめ込んで使う。筒体２はプラスチック製で、長さは250mmほど、外径は縦樋と同様60mmである。筒体の両端部は薄肉に形成され、縦樋の中に挿入できるようになっている。また両端部にはそれぞれ円周溝が切ってあり、この中にＯリング３を嵌めて縦樋と筒体の間をシールしている。
【０００９】
筒体２の中に雨水を溜められるよう中底５を設ける。中底は下に向かって徐々にすぼまった形状であるすり鉢型をしており、その中心（最下部）には円形の穴６があいている。この穴を開閉するために、中底の下側に弁体７を設ける。弁体は、穴６より大きな径のプラスチック製の中空の球（図１のように球の下側は切り欠いてもよい。）であり、筒体２の上部に渡したピン１０からコイルばね１１および紐１２で吊ってあって、普段、弁体７はばねの力で引張り上げられて穴６を塞いでいる。コイルばねは錆びないようステンレス製とすることが好ましい。コイルばねの強さは紐１２の長さで調節する。紐１２の代わりにチェーンを用いると、長さ調節が容易である。
【００１０】
符号１３は雨水の排出口であり、弁より少し高い位置に設けられている。排出口１３に連なるよう筒体側部にホースコネクター１４を設ける
【００１１】
この装置の作用であるが、雨が降り出しすと、屋根に降った雨水は、軒樋から縦樋１を通って筒体２に流れ込む。中底５の穴６は弁体７で閉じられているので、雨水が筒体内に溜まり、液面は徐々に上昇していく。図１に実線で示すように液面が排出口１３まで達すると、コネクター１４に繋いだホース１５から雨水が流れ出る。小雨の間は、液面はほとんど変動せず、このようにホースから雨水がチョロチョロと流れ出る状態が続く。雨が強くなると、液面が上昇し、排出口１３から流れ出る流量も増える。雨脚が強くなって液面が鎖線で示すようなレベルまで高くなると、弁体７にかかる水圧でコイルばね１１が伸び、弁７が鎖線で示すように開いて、上から流れ込んでくる雨水の一部は、穴６を通って下の縦樋１に流れるようになり、それ以上、液面が上昇することがない。
【００１２】
筒体の中に雨水と共に木の葉などのゴミが流れ込んで来るが、ゴミは弁が開いたとき、穴６を通って下に排出される。特にこのものでは、中底がすり鉢型をしており、ゴミが中底に引っかかることがなく、スムーズに排出される。
【００１３】
雨が降り止むと、液面が排出口１３の直下まで下がるが、その後は水の出口がないので、いつまでも雨水が残って、冬季には弁が凍結するおそれがある。これを防止するために、図２に示すように穴６の周囲に小さな切り欠き６ａを設け、弁が閉じてていても、この切り欠きから残水が流れ落ちるようにするとよい。
【００１４】
この装置では、雨が降り続いている間、排出口から雨水が流れ出るので、これを水がめなどに溜めておき、打ち水や、植物への散水に利用することができる。特に、住宅の２階ベランダのように、水道がないところに設置すれば、植物への水遣り等に便利に使うことができる。
【図面の簡単な説明】
【００１５】
【図１】装置の断面図である。
【図２】装置の組立斜視図である。
【符号の説明】
【００１６】
１    縦樋
２    筒体
５    中底
６    穴
７    弁体
１０  ピン
１１  弾性体としてのコイルスプリング
１３  排出口
【図１】
0003106978.tif 000003
【図２】
0003106978.tif 000004
(57)【要約】      （修正有）【課題】自転車かごの開口部に取り付けたネットの開口部を紐で結ぶ事でバックや財布又は物品をひったくりから守れる、物品が大きくかごからはみ出てもネットで被えるため例え転倒しても物品が散乱しない、取り外しの必要がない自転車かごネットカバーを提供する。【解決手段】自転車のかご１の周囲と同等又は多少大きめの化学繊維のネットで、ネット丈はかごの深さと同等程度で、ネットの下端を自転車かごの開口部に丈夫な綿糸、化学繊維、又は針金、止め金等により取り付ける、そのネットの上部を輪にして紐４を交互に１本ずつ２本通す、紐丈はネット周囲より長くし余裕を持たせる、紐をより扱い易くするため紐の両端をまとめ紐止め玉６を紐端近くに取り付ける。【選択図】図１
0003106907.tif 000002
【実用新案登録請求の範囲】
【請求項１】
自転車かご開口部面積に略等しい面積を有する筒状のネットの一端部周縁を折り返して二重にし、前記自転車かごの開口部に被せて固定するとともに、前期筒状ネットの他端開口部周縁を折り返して、二箇所に欠断部を有するように輪を形成し、輪の中に二本の紐を通して、紐を結ぶことでかごの中の物品が離脱することなく使用できる、ひったくり防止自転車かごネットカバー。
【考案の詳細な説明】
【技術分野】
【０００１】本考案は、自転車のかごに取り付けるネットカバーに関する。
【背景技術】
【特許文献１】実開平５−８０９８６  公報使用の都度取り外しの必要が生じる、より大きな幅のある物品はゴム止めでは弱い。
【考案の開示】
【考案が解決しようとする課題】
【０００２】自転車かご内の物品がひったくりにあう事を防止できるカバーを提供する事が課題である。
【課題を解決するための手段】
【０００３】自転車かごの開口部の口径と同等又は多少大きめの化学繊維のネットで、ネット丈はかごの深さとやや同等程度とし、ネットの下端を多少折り返し自転車かごの開口部に丈夫な綿糸、化学繊維、針金、止め金具等により取り付ける、そのネットの上部を輪にして２箇所の紐通り口から紐を交互に１本ずつ２本通す、紐丈はネットの周囲より長くして余裕を持たせて、紐をより扱い易くするため紐の両端をまとめ紐止め玉を紐端近くに取り付ける。
【考案の効果】
【０００４】ひったくりに会う事もなく結構大きな荷物も運べる、例え転倒しても物品が散乱する事もなく、不使用時はネットをかごの内側に下げておく事が出来て全く邪魔にならず取り外しの必要がない。
【考案を実施するための最良の形態】
【０００５】以下図面に示す実施例に従って本考案の実施形態について説明する、図１は本考案の一実施例を示す外観図である、自転車のかご開口部７と略等しい面積を有する両端が開口する筒状の上端部を折り返し、二箇所に欠断部３を有し２ｃｍ程度の紐通し部５を形成し紐通し部下３ｃｍまで欠断する、ネット周囲より長い紐４を交互に１本ずつ２本通し紐丈に余裕を持たせ紐の両端をまとめ紐止め玉６を紐端近くに取り付ける、ネット下部を丈夫な綿糸、化学繊維の糸、針金、止め金等で固定する、使用時はネットカバー部２をかご部１の外側に下げてバック、財布、又はかごより大きな物品等入れかご部外側に下げたネットを上げて物品を被いネット開口部をすぼめ紐４を結ぶ、不使用時はネット開口部を開いたままかごの内側に下げて置く事が出来て全く邪魔になる事もなく取り外しの必要が生じない、かごとネットを同色にすることで違和感は全くない。
【図面の簡単な説明】
【０００６】
【図１】自転車のかごに取り付けたネットカバーの外観図
【符号の説明】
【０００７】  １      自転車のかご  ２      ネットカバー  ３      ネットカバー上部の欠断部  ４      紐  ５      ネットカバー上端部の紐通し部  ６      止め玉  ７      自転車かごの開口部
【図１】
0003106907.tif 000003
(57)【要約】【課題】本考案は夜間犬を連れて散歩する時、犬が排泄する糞を手早く処理することが出来るようにした携帯用犬の集糞具に関するものであって、袋の取り付けや交換が簡単にでき、かつ大量の糞の重みにも耐えうる構造とし、スーパー等にて利用されているポリエチレン等の袋を再利用し、袋の大きさの相違にも対応できるようにする。【解決手段】懐中電灯を備えた把握部１に接続された、アーム部２と略円形の枠体4にて形成されている。袋体5を装着する際には、袋体5の持ち手の部分を枠体4の上又は下から挿入して、左右に開口させて、枠体4の円縁に被せ、持ち手6の両先を、突出部に掛止する構造とする。【選択図】  図１    
0003106909.tif 000002
【実用新案登録請求の範囲】
【請求項１】
懐中電灯を備えた把握部１に接続されたアーム部２と略円形の枠体４にて形成されており、袋体５を袋状に取り付ける際、アーム部２へ突出部３を数個突設することにより、袋体5を前記突出部３に掛止でき、その取り付けた袋体５にて犬の糞を受け止めることができることを特徴とする犬の集糞具。
【考案の詳細な説明】
【技術分野】
【０００１】
本考案は夜間犬を散歩する時、犬が排泄する糞を手早く処理することが出来るようにした携帯用犬の集糞具に関するものである。
【背景技術】
【０００２】
夜間犬の散歩時の排便の始末においては、例えば左手にクサリを持つと右手に懐中電灯とスコップ等を持ち犬の排便を確認してビニール袋等を携行し、排出した糞を拾って袋に収容したり、園芸用の小型スコップですくい取り、ビニール袋等に入れて糞を始末していた。
【０００３】
昨今では、手を汚さず処理できるものとして、紙製の糞取り具や、柄の付いたものでビニール袋等を取り付け排泄直後の犬の糞をその袋で受け止めるようにした器具があるが、把握部に懐中電灯を備えた物はない。
【０００４】
しかしながら、袋を固定する方法が挟持させる方法であったり、袋の開口部全体を針金等にてできた輪に取り付けた吊るし紐にホックで止める構造になっていたりと、いずれも袋の取り付け、取り外しが面倒であったり、袋の大きさによって取り付けができなかったり、大型犬のような排便の量が多い場合に、重さに耐えにくいといった不便さがあった。
【０００５】
【特許文献１】実用新案登録第３０７７６５１号
【特許文献２】実用新案登録第３０５８７１７号
【特許文献３】特開２００２−２５３０８２号
【特許文献４】実用新案登録第３１０３８５９号
【考案の開示】
【考案が解決しようとする課題】
【０００６】
本考案は、前述のような問題点に鑑みて成されたものであり、夜間犬の散歩時の排便の確認や袋の取り付けや交換が簡単にでき、かつ大量の糞の重みにも耐えうる構造とする。更には、スーパー等にて利用されているポリエチレン等の袋を再利用し、袋の大きさの相違にも対応できるようにする。
【課題を解決するための手段】
【０００７】
上記の目的を達成するためには、懐中電灯を備えた把握部１に接続されたアーム部２と略円形の枠体４にて形成されている。袋体5を装置する際には、袋体5のA―Aaの持ち手の部分を枠体4の上又は下から挿入して、袋体5の持ち手を左右に開口させて、枠体の円縁に被せる。そしてA―Aaの持ち手6の両先を、数個ある突出部３のうちいずれかに掛止めする構造とした。
【考案の効果】
【０００８】
本考案は上述のように構成されているから、袋の取り付けや交換がホックや挟み込む器具もいらず、単純簡単にでき、たくさんの量の集糞も可能である。又スーパー等にて利用されているポリエチレンの袋を再利用でき、更には袋の大きさの相違にも対応でき、集糞後もそのままゴミとして出すこともできるので、飼い主が非常に楽に犬の排便の処理が可能となった。
【考案を実施するための最良の形態】
【０００９】
考案の実施の形態について図面図１を参照して説明する。把握部1は懐中電灯を備えて接続されたアーム部2及び枠体4は一体形成になっており、先部の枠体４は、略円形の状態に加工することにより、犬の糞を受け止めやすくしている。図２のようにアーム部2及び枠体4の材質は合成樹脂やステンレスや針金等を使用するのが望ましい。
【００１０】
袋体5は、図4のようにスーパー等の小売店にて利用されている袋を利用する。当核袋は、図３のA、Aaのような持ち手が付いているものを利用する。又図4の袋体7の持ち手のないものも利用できる。
【００１１】
懐中電灯を備えた把握部1に接続された、アーム部と略円形の枠体4にて形成されている。袋体5を装着する際には、袋体5のA、Aaの持ち手6の部分を枠体4の上又は下から挿入して、袋体5の持ち手を左右に開口させて、枠体4の円縁に被せ、持ち手6を突出部３に掛止する構造である。
【００１２】
図1のように、アーム部２へ袋体5を装着する際の持ち手6を掛止する突出部３を数個設けた構造では、袋体5を装置する際には、袋体5のA、Aaの持ち手6の部分を枠体4の上又は下から挿入した後、袋体5の持ち手を左右に開口させて、枠体4の円縁に被せ、持ち手6の両先をアーム部２に数個突設している突出部３に掛止する。
【００１３】
図1のようにアーム部２へ袋体7の持ち手のないものを装着する際は、掛止する突出部３を数個設けた構造では、袋体7を左右に開口させて、枠体4の円縁に被せ、アーム部２に突設している突出部３に掛止する。
【産業上の利用可能性】
【００１４】
夜間犬の散歩時に携帯し、袋の取り付けや交換が簡単にでき、吊り下げやホックの構造ではなく、袋の持ち手そのものを掛止する方法であるため、大量の糞の重みにも耐えうる構造であるので、安価で取り扱いが簡単な、携帯用糞用具として利用できる。
【図面の簡単な説明】
【００１５】
【図１】犬の集糞具の実施方法を示した図。
【図２】（A）犬の集糞具の正面図。    （B）犬の集糞具の側面図
【図３】袋体のの正面図
【図４】袋体の持ち手のない物の正面図
【００１６】
１    懐中電灯を備えた把握部
２    アーム部
３    突出部
４    枠体
５    袋体
６    持ち手
７    袋体の持ち手がないもの
【図１】
0003106909.tif 000003
【図２】
0003106909.tif 000004
【図３】
0003106909.tif 000005
【図４】
0003106909.tif 000006
(57)【要約】      （修正有）【解決手段】摺り鉢状の容器１の下部と円筒状の容器２の上部に設けられた筒状突起３がパッキングをもって組み合い、両者で構成される空間４の上部に開閉弁５を、下部には有孔の取り外し可能な隔壁６と側壁には外部と通ずる孔７及び容器２の下端は土台８とパッキングをもって組み合う構造とする。【効果】埋没が真空中で行なえ空気の介在を極力抑えられる為に、気泡の発生が少なく而も鋳型表面がきれいなために精密な鋳造体が可能になる。【選択図】図１
0003106906.tif 000002
【実用新案登録請求の範囲】
【請求項１】
摺り鉢状の容器（１）の下部と円筒形の容器（２）の上部に設けられた筒状突起（３）がパッキングをもって組み合い、両者で構成される空間（４）の上部に開閉弁（５）を、下部には有孔の取り外し可能な隔壁（６）と側壁には外部と通ずる孔（７）及び容器（２）の下端は土台（８）とパッキングをもって組み合う構造の歯科用散布式真空埋没器。
【考案の詳細な説明】
【考案の詳細な説明】
【考案が解決しようとする課題】
【０００１】  従来は鋳造目的で作られたワックス・パターンを円錐台に植立しそれに鋳造リングを取り付けた埋没の為のリング（以後埋没リング）に、埋没材と水を真空中で攪拌して出来た埋没泥を、真空を解除して大気圧中で埋没リングに流し込むのが一般的な埋没方法である。その埋没法では埋没泥を埋没リングに流し込む際ワックス・パターン表面と埋没泥との間に空気の層が出来易く、それが気泡となり鋳造体表面にこぶ状の突起が出来、鋳造体欠陥となる。
【課題を解決するための手段】
【０００２】  上記の欠点を解決するために大気中ではなく真空中で流し込む方が空気の介在は少ない。而もその際、容器（２）の内外の気圧差が大きい程流入速度が速まり埋没泥は粒状となって放散する。
【０００３】  具体的には開閉弁（５）が開くと圧力差により容器（１）内の埋没泥は空間（４）にながれ込み隔壁（６）の上面に溜まる。次いで開閉弁（５）が閉じ、孔（７）が開くと空気が流入する。これにより空間（４）と容器（２）の内圧の差が生じ、空間（４）内の空気は埋没泥を伴って容器（２）内に流れこむ。
【０００４】  孔（７）は開閉弁を介し外気と通ずるだけでもよいが、圧縮空気の管と通ずると圧力差はより大きくなる。
【０００５】  隔壁（６）の有する各孔の上部は凹みがあるほうがよく、形態は平板状でも、中えぐりされた球状でもよい。
【０００６】  土台（８）の上面には埋没リングを簡易固定出来るように磁石或いは突起を設け又バキュウム・ポンプよりの管の末端が開口し、下面は振動を受けられる構造にする。
【考案の効果】
【０００７】  埋没が真空中で行なえ空気の介在を極力抑えられる為に、気泡の発生が少なく而も鋳型表面がきれいなために精密な鋳造体が可能になる。
【図面の簡単な説明】
【図１】歯科用散布式真空埋没器の断面図である。
【符号の説明】
１  容器
２  容器
３  筒状突起
４  空間
５  開閉弁
６  隔壁
７  孔
８  土台
【図１】
0003106906.tif 000003
(57)【要約】      （修正有）【課題】壊れにくく、梱包し易い椅子を提供する。【解決手段】指物・大工技術を取り入れ、格子状の左右背の３面ＡＢＣと座面Ｄを、接着剤や金物を使用せず、くさび４を２本で締めつける柔構造により、優れた耐久性を有するものとすることができる。椅子を部材で発送することにより、従来の１／５の容量ですみ梱包し易い。需要者宅にて簡単に組立てができるので、製造・販売の各所の在庫スペースをとらない。スペア椅子としての収納にもスペースを要しない。組み立てる時に座板を嵌め込む場所によって座高が３段階に変えられる。素材は木材のみで、最終処理等、環境問題に配慮した。【選択図】図１
0003106910.tif 000002
【実用新案登録請求の範囲】
【請求項１】
各構成部材を金属・接着剤等で固着するのではなく、座面の嵌め込み、背面の２点の噛み合わせと２点のくさびで締めつける柔構造により、耐久性が高く、需要先にて簡単に組み立てられ、更に座高が３段に変え得る椅子であって、格子状の左側面部材（Ａ）に座板部（Ｄ）を好みの高さに嵌め込み、格子状の右側面部材（Ｂ）を座板部（Ｄ）のもう一方に嵌め込み、格子状の背面部材（Ｃ）を後方に傾斜させ、各々の組み手欠き込み（１）に組み手ほぞ（２）を噛み合わせ、ほぞ（３）を背面部材（Ｃ）の穴に差し込み、くさび（４）を各々打ち込んで組み立てるようにした椅子。
【考案の詳細な説明】
【技術分野】
【０００１】
本考案は、椅子の技術分野に関するものである。
【背景技術】
【０００２】
従来の椅子は穴・ほぞ構造による加工をし、接着剤又は金物で組み付ける剛構造で製作されていた。
【０００３】
そのため壊れ易く、特に日本の椅子は問題が多いといわれてきた。
【０００４】
さらに、椅子は発送の際梱包しにくく、又、空気を送るようなものとされてきた。
【０００５】
又、本格的に座高を変えられる椅子はなかった。
【０００６】
さらに従来の椅子は構造上複雑で、木・鉄・布・皮等、素材の種類が多い。
【考案の開示】
【考案が解決しようとする課題】
【０００７】
日本の椅子は壊れ易いとされ、又、梱包・発送は空気を送るようなものだといわれている。
【課題を解決するための手段】
【０００８】
本考案は、日本の指物・大工技術を取り入れ、格子状の左右背の３面と座面を、接着剤や金物を使用せず、くさび２本で締めつける柔構造により、優れた耐久性を有するものとすることができる。
【考案の効果】
【０００９】
本考案により椅子を部材で発送することにより、従来の１／５の容量ですみ梱包し易い。
【００１０】
又、需要者宅にて簡単に組立てができるので、製造・販売の各所の在庫スペースをとらない。又、スペア椅子としての収納にもスペースを要しない。
【００１１】
又、組み立てる時に座板を嵌め込む場所によって座高が３段階に変えられる。
【００１２】
素材は木材のみで、最終処理等、環境問題に配慮したものである。
【００１３】
格子状のデザインは和・洋に合い、又、床を傷めない。
【考案を実施するための最良の形態】
【００１４】
請求項１記載の考案は、格子状の肘掛け部２面に座面を好みの高さに嵌め込み、同じく格子状の背面を嵌着し、くさび２本で組み立てることを特徴とするものである。
【図面の簡単な説明】
【００１５】
【図１】各部材の位置を表す図
【図２】組立ての工程を表す図
【符号の説明】
【００１６】
Ａ    左側面部材
Ｂ    右側面部材
Ｃ    背面部材
Ｄ    座板部
１    組み手欠き込み
２    組み手ほぞ
３    ほぞ
４    くさび
【図１】
0003106910.tif 000003
【図２】
0003106910.tif 000004
(57)【要約】【課題】サンドイッチを作るとき、容易に形を整え、仕上げに、サンドイッチの耳を切り落とし、食べ易い形に切断ができるサンドイッチ調理器の提供。【解決手段】本考案のサンドイッチ調理器の形状形態は、四角立方体の容器で、容器内底面１の大きさは、一片の食パン平面サイズに係合するサイズで、その容器底面１中央部には指が入れられる大きさの容器底面穴部３を設け、容器内底面１には底面に係合する方形まな板６を敷き、且つ、容器の四方側面２に包丁７でサンドイッチの耳の切り落としや、等分割切断ができるところのサンドイッチ切断ガイド溝４を複数設けたサンドイッチ調理器で、容器中のサンドイッチ調理切断後、容器に蓋５を被せ、その容器を反転せしめて、容器底面１に設けられた穴３に指を入れ押し出すことにより、調理されたサンドイッチが簡単に取り出せるところのサンドイッチ調理器の提供。【選択図】図１
0003106915.tif 000002
【実用新案登録請求の範囲】
【請求項１】
サンドイッチ調理器の形状形態は、四角立方体の容器で、容器内底面の大きさは、一片の食パン平面サイズに係合するサイズであり、その容器底面中央部には指が入れられる大きさの穴を設け、容器内底面には底面に係合する方形まな板を敷き、且つ、容器の四方側面に包丁用サンドイッチ切断ガイド溝を複数設けた蓋付きサンドイッチ調理器。
【考案の詳細な説明】
【技術分野】
【０００１】
サンドイッチを作るとき、容易に形を整えて仕上げ切断ができる調理器の容器形状形態に関する。
【背景技術】
【０００２】
サンドイッチを作るとき、食パンに具材をはさみ、包丁で、単に、食べ易い形に切断している。
【考案の開示】
【考案が解決しようとする課題】
【０００３】
サンドイッチを作るとき、容易に形を整え、仕上げに、サンドイッチの耳を切り落とし、食べ易い形に等分割切断ができるところのサンドイッチ調理器の提供。
【課題を解決するための手段】
【０００４】
サンドイッチを作るとき、容易に形を整え、仕上げにサンドイッチの耳を容易に切り落せ、食べ易い形に等分割切断ができるところの本考案サンドイッチ調理器の形状形態は、四角立方体の容器で容器内底面の大きさは、一片の食パン平面サイズに係合するサイズで、その容器底面中央部には指が入れられる大きさの穴を設け、容器内底面には底面に係合する方形まな板を敷き、且つ、容器の四方側面に包丁でサンドイッチの耳の切り落としや、等分割ができるところのサンドイッチ切断ガイド溝を複数設けたサンドイッチ調理器で、容器中のサンドイッチ切断後、容器に蓋を被せ、その容器を反転し、容器底面に設けられた穴に指を差し入れ押し出すことにより、調理されたサンドイッチが簡単に取り出せるところのサンドイッチ調理器の提供。
【考案の効果】
【０００５】
本考案のサンドイッチ調理器を使うことで、誰でも簡単に形良く、手早くサンドイッチが作れ、食パンにはさむ具材もはみ出さず、無駄なく調理ができ、サンドイッチ切断ガイド溝の選択で、数種の等分割切断ができる利便性を得る。
【考案を実施するための最良の形態】
【０００６】
本考案の実施形態を「図１」、「図２」に基づいて説明する。「図１」は本考案の調理器の切断ガイド溝に包丁を差し込んだところの実施形態斜視図を示し、容器側面部切断ガイド溝の選択により異なる等分割切断ができ、また、サンドイッチの耳を切断するときは、四隅の容器側面部切断ガイド溝の一側面に平行して包丁を差し込むことにより切断ができる。容器内まな板６は可動板であり、サンドイッチ調理後にサンドイッチ調理器を反転し、容器底面穴部３に指を差し入れ押し出すことにより、調理したサンドイッチを容易に取り出す役目も有するまな板６である。容器蓋５は、サンドイッチ調理後、容器に蓋を被せ、容器内のサンドイッチを容易に反転せしめることができる役目も兼ねた容器蓋５である。
「図２」は本考案のサンドイッチ調理器に蓋５を被せたところの断面図を示す。
【図面の簡単な説明】
【０００７】
【図１】本考案実施形態斜視図
【図２】本考案断面図
【符号の説明】
【０００８】
１    容器底面部
２    容器側面部
３    容器底面穴部
４    容器側面部切断ガイド溝
５    容器蓋
６    容器内まな板
７    包丁
【図１】
0003106915.tif 000003
【図２】
0003106915.tif 000004